(57)【特許請求の範囲】
【請求項１】
頂壁及びこの頂壁の周縁部から下方に向けて形成された円筒状の側壁を有する第１の容器形成体と、
底壁及びこの底壁の周縁部から上方に向けて形成された円筒状の側壁を有し、前記第１の容器形成体に対して回転自在に嵌合する第２の容器形成体とからなり、
前記第１の容器形成体または第２の容器形成体のいずれか一方の内部に、前記頂壁または底壁に対して垂直に形成された複数個の隔壁によって複数個の隔室が区画形成され、
該隔室が形成された容器形成体の側壁に、前記各隔室に連通した複数個の取出口が設けられ、
他方の容器形成体の側壁に、いずれかの容器形成体を回転させることにより前記各取出口に一致する一個の開口部が設けられ、該開口部を前記各取出口に一致させることにより前記各隔室内の被包装物が外部に取り出し可能となる包装用容器において、
前記複数個の隔壁が互いに交わらないように形成され、
前記各隔壁は、前記取出口の側から該取出口に対向する側に向かって、隣接する隔壁との間隔が広がるように設けられ、
前記複数個の取出口が互いに近接する位置に設けられ、
前記隔室が形成された容器形成体には、前記複数の取出口のそれぞれの位置を示す指標が設けられ、
前記第１の容器形成体または第２の容器形成体を、前記開口部が前記複数個の取出口のうちの左端に位置する取出口に一致した状態から右端に位置する取出口に一致した状態にまで回転させる回転角度が９０゜以内である
ことを特徴とする包装用容器。
【請求項２】
前記隔室の数が三個であることを特徴とする請求項１に記載の包装用容器。
【発明の詳細な説明】
【０００１】
【発明の属する技術分野】
本発明は、複数種類の被包装物を区別して包装するとともに各被包装物を別々に取り出せるようにした包装用容器に関するものである。
【０００２】
【従来の技術】
食品や薬品等を包装するためのものとして、複数種類の被包装物を区別して包装するとともに各被包装物を別々に取り出せるようにした包装用容器が知られている。図８はこの種の包装用容器の一例を示す斜視図である。この包装用容器１０１は、頂壁１０４及びこの頂壁１０４の周縁部から下方に向けて形成された円筒状の側壁１０５を有する第１の容器形成体１０２と、底壁１０６及びこの底壁１０６の周縁部から上方に向けて形成された円筒状の側壁１０７を有し、第１の容器形成体１０２に回転自在に嵌合する第２の容器形成体１０３とからなり、第１の容器形成体１０２の内部には、頂壁１０４に対して垂直に形成された三個の隔壁１０８によって三個の扇状の隔室１０９〜１１１が区画形成され、第１の容器形成体１０２の側壁１０５には、各隔室１０９〜１１１に連通した三個の取出口１１２〜１１４が設けられている。また、第２の容器形成体１０３の側壁１０７には、第１の容器形成体１０２を回転させることにより各取出口１１２〜１１４に一致する一個の開口部１１５が設けられており、この開口部１１５を各取出口１１２〜１１４に一致させることにより各隔室１０９〜１１１内の被包装物が外部に取り出し可能となる。
【０００３】
【発明が解決しようとする課題】
上記従来の包装用容器では、取出口１１２〜１１４が側壁１０５の周方向に等間隔をおいて設けられているため、前回取り出した被包装物と異なる被包装物を取り出す際には第１の容器形成体１０２を大きく回転させなければならず、手間がかかるという問題があった。
【０００４】
本発明は、上記のような問題点を解決するためになされたものであって、その目的は、複数種類の被包装物を区別して包装するとともに各被包装物を別々に取り出せるようにした包装用容器であって、少ない手間で被包装物を取り出せるようにしたものを提供することにある。
【０００５】
【課題を解決するための手段】
上記目的を達成するために、本発明の包装用容器は、頂壁及びこの頂壁の周縁部から下方に向けて形成された円筒状の側壁を有する第１の容器形成体と、底壁及びこの底壁の周縁部から上方に向けて形成された円筒状の側壁を有し、前記第１の容器形成体に対して回転自在に嵌合する第２の容器形成体とからなり、前記第１の容器形成体または第２の容器形成体のいずれか一方の内部に、前記頂壁または底壁に対して垂直に形成された複数個の隔壁によって複数個の隔室が区画形成され、該隔室が形成された容器形成体の側壁に、前記各隔室に連通した複数個の取出口が設けられ、他方の容器形成体の側壁に、いずれかの容器形成体を回転させることにより前記各取出口に一致する一個の開口部が設けられ、該開口部を前記各取出口に一致させることにより前記各隔室内の被包装物が外部に取り出し可能となる包装用容器において、前記複数個の隔壁が互いに交わらないように形成され、前記各隔壁は、前記取出口の側から該取出口に対向する側に向かって、隣接する隔壁との間隔が広がるように設けられ、前記複数個の取出口が互いに近接する位置に設けられ、前記隔室が形成された容器形成体には、前記複数の取出口のそれぞれの位置を示す指標が設けられ、前記第１の容器形成体または第２の容器形成体を、前記開口部が前記複数個の取出口のうちの左端に位置する取出口に一致した状態から右端に位置する取出口に一致した状態にまで回転させる回転角度が９０゜以内であることを特徴とするものである。
【０００７】
また、上記構成の包装用容器において、前記隔室の数が三個であることを特徴とするものである。
【０００９】
【発明の実施の形態】
以下、本発明の具体的な実施形態を図面を参照しながら説明する。図１は本発明の一実施形態である包装用容器の斜視図である。この包装用容器１は三種類のビタミン錠菓を包装するためのもので、回転自在に嵌合した上下一対の有底円筒状の第１の容器形成体２及び第２の容器形成体３からなっている。
【００１０】
図２は第１の容器形成体２を内面側から見た図、図３は図２を矢印Ａの方向に見た側面図、図４は図２を矢印Ｂの方向に見た側面図である。第１の容器形成体２は合成樹脂からなり、円形の頂壁４と、この頂壁４の周縁部から下方に向けて形成された円筒状の側壁５とを有している。
【００１１】
頂壁４の内面には、頂壁４に対して垂直に形成され、八の字形に配置された一対の隔壁６、７が設けられており、これらの隔壁６、７によって、取出口１３（後述）の側から取出口１３に対向する側に向かって広くなっている隔室８と、その両側に位置する三日月形の隔室９、１０とが区画形成されている。
【００１２】
側壁５は下側に容器形成体３の側壁２２（後述）の内周面に回転自在に嵌合する縮径部１１を有している。縮径部１１は、前側部分１１ａと、この前側部分１１ａより幅が狭い後側部分１１ｂと、前側部分１１ａと後側部分１１ｂの間に形成された一対の中間部分１１ｃ、１１ｃとからなっている。中間部分１１ｃの幅は水平面に対して４５゜の傾斜角度をもって連続して変化しており、これによって各中間部分１１ｃ、１１ｃの頂辺に沿うストッパ部１２、１２が形成されている。
【００１３】
前側部分１１ａの中央部には、下端縁から上方に向けて形成され、隔室８の一端側に連通した逆Ｕ字形の取出口１３が設けられており、その両側には、隔室９、１０の一端側に連通した逆Ｕ字形の取出口１４、１５が取出口１３に近接する位置に設けられている。また、前側部分１１ａの左右両側には周方向に延びる一対の凸条１６、１７が同一線上に位置するように設けられており、後側部分１１ｂの中央部には周方向に延びる凸条１８が凸条１６、１７と同一線上に位置するように設けられている。
【００１４】
また、容器形成体２の前側肩部には周方向に延びる台形状の凹部１９が設けられており、この凹部１９には各取出口１３〜１５の位置を示す指標Ａ〜Ｃが印刷されたシール２０が貼付されている。
【００１５】
図５は第２の容器形成体３を内面側から見た図、図６は図５を矢印Ｃの方向に見た側面図、図７は図５を矢印Ｄの方向に見た側面図である。容器形成体３は、円形の底壁２１と、この底壁２１の周縁部から上方に向けて形成された円筒状の側壁２２とからなっている。
【００１６】
側壁２２は、前側部分２２ａと、この前側部分２２ａより幅が狭い後側部分２２ｂと、前側部分２２ａと後側部分２２ｂの間に形成された一対の中間部分２２ｃ、２２ｃとからなっている。中間部分２２ｃ、２２ｃの幅は水平面に対して４５゜の傾斜角度をもって連続して変化しており、これによって各中間部分２２ｃ２２Ｃの頂辺に沿うストッパ部２３が形成されている。
【００１７】
前側部分２２ａの中央部には、上端縁から下方に向けて形成されたＵ字形の開口部２４が形成されている。この開口部２４は容器形成体２を回転させることにより取出口１３〜１５に一致し、これによって各隔室８〜１０内の被包装物が外部に取り出し可能となる。また、側壁２２の内面には、第１及び第２の容器形成体２、３を嵌合したときに容器形成体２の凸条１６〜１８が摺動自在に係合する溝２５がほぼ全周にわたって形成されている。
【００１８】
第１の容器形成体２の回転はストッパ部１２、１２が第２の容器形成体３のストッパ部２３、２３に当接することにより停止する。ストッパ部１２、１２、２３、２３の位置は、第１の容器形成体２を時計回り方向に最大限まで回したときに取出口１５が開口部２４を越えて取出口１３〜１５が第２の容器形成体３の側壁２２によって閉鎖され、第１の容器形成体２を反時計回り方向に最大限まで回したときに取出口１４が開口部２４を越えて取出口１３〜１５が第２の容器形成体３の側壁２２によって閉鎖されるように設定されている。
【００１９】
上記のように構成した包装用容器１から被包装物を取り出すには、第１の容器形成体２を回転させてシール２０に印刷された指標（アルファベット）を目印にして取出口１３〜１５を容器形成体３の開口部２４に一致させる。例えば、図１に示すように、Ｂを開口部２４の中心線上に合わせると、取出口１３が開口部２４に一致して隔室８内の被包装物が取り出し可能となる。そして、次に取り出す被包装物が隔室９または１０に収納されたものである場合には、ＡまたはＣを開口部２４に合わせることになるが、取出口１４、１５が取出口１３に近接して設けられているため、容器形成体２の回転角度が小さく、その操作は極めて楽である。
【００２０】
【発明の効果】
以上のように、本発明によれば、内部に複数個の隔室を区画形成する隔壁が互いに交わらないように形成され、隔室に連通した複数個の取出口が互いに近接する位置に設けられたことにより、小さい回転角度で開口部を各取出口に一致させることができるので、少ない手間で被包装物を取り出すことができる。
【００２１】
また、各隔壁を、取出口の側から取出口に対向する側に向かって、隣接する隔壁との間隔が広がるように設けたことにより、複数個の取出口をより近接して設けることができるようになるので、被包装物を取り出すための手間がより少なくなる。
【図面の簡単な説明】
【図１】  本発明の一実施形態である包装用容器の斜視図。
【図２】  第１の容器形成体を内面側から見た図。
【図３】  図２を矢印Ａの方向に見た側面図。
【図４】  図２を矢印Ｂの方向に見た側面図。
【図５】  第２の容器形成体を内面側から見た図。
【図６】  図５を矢印Ｃの方向に見た側面図。
【図７】  図５を矢印Ｄの方向に見た側面図。
【図８】  従来の包装用容器の斜視図。
【符号の説明】
１  包装用容器
２  第１の容器形成体
３  第２の容器形成体
４  頂壁
５  第１の容器形成体２の側壁
６、７  隔壁
８、９、１０  隔室
２１  底壁
２２  第２の容器形成体３の側壁
１３、１４、１５  取出口
２４  開口部
【図１】
0003695852.tif 000002
【図２】
0003695852.tif 000003
【図３】
0003695852.tif 000004
【図４】
0003695852.tif 000005
【図５】
0003695852.tif 000006
【図６】
0003695852.tif 000007
【図７】
0003695852.tif 000008
【図８】
0003695852.tif 000009